(57)【特許請求の範囲】
【請求項１】
複数段の棚部を備えた商品陳列棚と組み合わせて使用される表示方法追加構造体であって、
高さ方向における複数の位置に取り付けられた複数の横フレームと、該横フレームに取り付けられた商品情報表示パネルと、商品陳列棚の左右方向に離間した複数の支柱とを有し、
前記商品情報表示パネルは、高さ方向に隣り合う２本の横フレームに、左右方向にスライド移動可能に取り付けられており、
前記複数の横フレームが、前記商品陳列棚より前方に、前記棚部から離間した状態に位置し且つ隣り合う前記支柱どうしを連結するように該支柱に取り付けられることで、前記横フレーム及び前記商品情報表示パネルが、前記商品陳列棚より前方に、前記棚部から離間した状態に位置するようになされており、
前記商品情報表示パネルは、それを取り付ける２本の横フレームの高さ方向の間隔に応じて、該２本の横フレームに接触する接触部間の距離を調節可能である、表示方法追加構造体。
【請求項２】
複数段の棚部を備えた商品陳列棚と組み合わせて使用される表示方法追加構造体であって、
高さ方向における複数の位置に取り付けられた複数の横フレームと、該横フレームに取り付けられた商品情報表示パネルと、商品陳列棚の左右方向に離間した複数の支柱とを有し、
前記商品情報表示パネルは、高さ方向に隣り合う２本の横フレームに、左右方向にスライド移動可能に取り付けられており、
前記複数の横フレームが、前記商品陳列棚より前方に、前記棚部から離間した状態に位置し且つ隣り合う前記支柱どうしを連結するように該支柱に取り付けられることで、前記横フレーム及び前記商品情報表示パネルが、前記商品陳列棚より前方に、前記棚部から離間した状態に位置するようになされており、
前記横フレームが、前記複数段の棚部それぞれの高さ位置に取り付けられている、表示方法追加構造体。
【請求項３】
複数段の棚部を備えた商品陳列棚と組み合わせて使用される表示方法追加構造体であって、
高さ方向における複数の位置に取り付けられた複数の横フレームと、該横フレームに取り付けられた商品情報表示パネルと、商品陳列棚の左右方向に離間した複数の支柱とを有し、
前記商品情報表示パネルは、高さ方向に隣り合う２本の横フレームに、左右方向にスライド移動可能に取り付けられており、
前記複数の横フレームが、前記商品陳列棚より前方に、前記棚部から離間した状態に位置し且つ隣り合う前記支柱どうしを連結するように該支柱に取り付けられることで、前記横フレーム及び前記商品情報表示パネルが、前記商品陳列棚より前方に、前記棚部から離間した状態に位置するようになされており、
前記商品情報表示パネルは、裏面側に、前記高さ方向に隣り合う２本の横フレームのうちの上側の横フレームに係合する上側係合部と、該２本の横フレームのうちの下側の横フレームに係合する下側係合部とを備え、
前記上側係合部及び前記下側係合部は、前記商品情報表示パネルの背面部から突出する水平部と、該水平部の先端部に連設された垂下部とを有し、該水平部と該垂下部とに囲まれた空間内に前記横フレームが配され、
前記空間の前記商品陳列棚の前後方向に沿う方向の長さが、前記横フレームの前後方向の長さより長いことで、前記商品情報表示パネルが左右方向にスライド移動可能とされている、表示方法追加構造体。
【請求項４】
前記複数の支柱と前記複数の横フレームとが、前記棚部と離間して同一平面上に位置するように取り付けられている、請求項１〜３の何れか１項に記載の表示方法追加構造体。
【請求項５】
前記複数の支柱の色と前記複数の横フレームの色とが、同一又は類似色に統一されている、請求項１〜４の何れか１項に記載の表示方法追加構造体。
【請求項６】
前記商品陳列棚は、該商品陳列棚の左右方向に離間した複数の支持部を有し、隣り合う一対の支持部に複数段の前記棚部が支持されており、
前記商品陳列棚は、前記支持部の上下方向に複数の係合孔を有し、前記棚部は、該係合孔に係合する係合突起を有しており、前記支柱は、前記支持部における前記係合突起が係合した係合孔以外の係合孔に係合させる前後連結フレームを介して該支持部に支持される、請求項１〜５の何れか１項に記載の表示方法追加構造体。
【請求項７】
複数段の棚部を備えた商品陳列棚と、該商品陳列棚に取り付けられた請求項１〜６の何れか１項に記載の表示方法追加構造体とを備える、可動表示パネル付商品陳列棚。
【発明の詳細な説明】
【技術分野】
【０００１】
本発明は、表示方法追加構造体、及び可動表示パネル付商品陳列棚に関する。
【背景技術】
【０００２】
従来、スーパーやコンビニエンスストア、百貨店等の商品の売り場においては、商品陳列棚における個々の商品が載置された棚に、商品名や価格等を記載した表示物を取り付けて掲示することが一般的である。
また、消費者が、購入したい商品により早く辿り着くことができるように、例えば、シャンプーやリンス等についてヘアケア製品、ボディソープ、身体用清拭シート、デオドラント商品等についてボディケア製品と表示する等、商品名や価格に加えて、複数の商品が属する商品のカテゴリーを表示することも行われている。このような商品のカテゴリーは、例えば、店舗内の柱や天井から吊るした表示物等に表示される。
また特許文献１には、商品陳列棚における高さ方向に隣り合う上下の棚部それぞれに、脱着可能な表示板の保持部を設け、保持部どうし間に、商品情報を表示するパネルを配置することが記載されている。
【先行技術文献】
【特許文献】
【０００３】
【特許文献１】特開２００６−２５９５５号公報
【発明の概要】
【発明が解決しようとする課題】
【０００４】
しかし、商品のカテゴリーを、店舗内の柱や天井から吊るした表示物に表示する方法は、カテゴリーの表示と個々の商品とが離れていることが多いため、表示された商品のカテゴリーと当該カテゴリーに含まれる商品の陳列場所との対応関係が判りにくくなり易い。また、商品陳列棚に、個別の商品名と商品のカテゴリーとの両者を表示することも考えられるが、その場合、陳列棚に取り付ける表示物の数が増えて、両表示が見にくくなったり、商品の取り出しの際に邪魔となる恐れがある。
また特許文献１には、商品情報を表示するパネルを左右方向に移動可能とすることは記載されておらず、また商品情報を表示するパネルの記載が適用される商品の範囲も不明瞭である。
【０００５】
また、本発明者らは、ヘアケア製品とボディケア製品等、別の商品のカテゴリーに属する複数の商品のうち男性用のものを、陳列棚の特定の場所に纏めて陳列するとともに、それらが男性用の商品であることを示す表示を設けて、男性用商品の購入希望者が目的とする商品により早く到達できるようにすることを検討した。
しかしながら、従来の陳列棚や売り場の表示方法では、商品名や商品のカテゴリーに加えて、男性用商品の陳列場所を、男性用商品の購入希望者に判り易く示すことが困難であった。
【０００６】
従って、本発明の課題は、従来技術が有する解決課題を解消可能な、表示方法追加構造体及び可動表示パネル付商品陳列棚を提供することに関する。
【課題を解決するための手段】
【０００７】
本発明は、複数段の棚部を備えた商品陳列棚と組み合わせて使用される表示方法追加構造体であって、高さ方向における複数の位置に取り付けられた複数の横フレームと、該横フレームに取り付けられた商品情報表示パネルとを有し、前記横フレーム及び前記商品情報表示パネルは、前記商品陳列棚より前方に位置し、該商品情報表示パネルは、高さ方向に隣り合う２本の横フレームに、左右方向にスライド移動可能に取り付けられている、表示方法追加構造体を提供するものである。
【０００８】
また本発明は、複数段の棚部を備えた商品陳列棚と、該商品陳列棚に取り付けられた請求項１〜７の何れか１項に記載の表示方法追加構造体とを備える、可動表示パネル付商品陳列棚を提供するものである。
【発明の効果】
【０００９】
本発明の表示方法追加構造体によれば、商品陳列棚に、商品に関する情報の表示方法を追加でき、商品に関する異なる複数の情報を消費者に判り易く表示することができるとともに、商品陳列棚への商品の出し入れも容易である。
また本発明の可動表示パネル付商品陳列棚によれば、商品に関する異なる複数の情報を消費者に判り易く表示することができる。
【図面の簡単な説明】
【００１０】
【図１】図１は、本発明の可動表示パネル付商品陳列棚の一実施形態を示す斜視図である。
【図２】図２（ａ）は、表示方法追加構造体を取り付ける前の商品陳列棚の一部を示す斜視図であり、図２（ｂ）は、図２（ａ）に示す商品陳列棚に、支柱を取り付ける様子を示す斜視図である。
【図３】図３は、本発明の表示方法追加構造体の一実施形態における構成要素を示す斜視図である。
【図４】図４は、図３に示す上下一対の前後連結フレームの後端部を示す模式拡大側面図である。
【図５】図５は、図３に示す揺れ防止部材の拡大断面図である。
【図６】図６は、図３に示す第１横フレームの端部を示す図であり、（ａ）は支柱に固定する前の端部を商品陳列棚の前方に向けられる面側から視た図、（ｂ）は支柱に固定する直前の状態における（ａ）のＩＩ−ＩＩ線断面図である。
【図７】図７は、支持部を両側に有する中間支持部に支持された支柱に対する第１横フレームの接続方法の説明図である。
【図８】図８（ａ）は、図３に示す第２横フレームの両端部の下面側を示す図であり、図８（ｂ）は、第２横フレームの端部を支柱に固定するための接続片の側面図である。
【図９】図９（ａ）は、図２（ａ）に示す商品陳列棚に取り付けた一対の支柱間に、第２横フレームを取り付ける様子を示す斜視図、図９（ｂ）は、上部表示パネルを、取り付け部材を介して、商品陳列棚の上部に取り付ける様子を示す斜視図である。
【図１０】図１０（ａ）及び図１０（ｂ）は、支柱に対する第２横フレームの接続方法の説明図である。
【図１１】図１１（ａ）は、図３に示す商品情報表示パネルをその裏面側から視た拡大斜視図であり、図１１（ｂ）は、図１１（ａ）に示す商品情報表示パネルを、情報表示パネルと高さ調整パネルとに分離した状態を示す拡大斜視図である。
【発明を実施するための形態】
【００１１】
以下に、本発明をその好ましい実施形態に基づいて説明する。
本発明の表示方法追加構造体の一実施形態である可動表示パネル付商品陳列棚１００は、図１に示すように、既存の商品陳列棚１０と、この商品陳列棚１０に、陳列する商品に関する情報の表示方法を追加する表示方法追加構造体１とを備えている。
本実施形態における商品陳列棚１０は、図１に示すように、左右方向に離間した複数の支持部１１及び隣り合う一対の支持部１１，１１に支持された複数段の棚部１２を備えている。より詳細には、左右方向Ｘに離間した３本以上の支持部１１を備え、左右方向Ｘの両端に位置する端部支持部１１ａと、左右両側に支持部を有する中間支持部１１ｂとを備えている。また、左右方向に隣り合う一対の支持部１１，１１は、図２（ａ）に示すように、上端部どうしが上部連結フレーム１３で連結され、下端部どうしが下部連結フレーム（不図示）で連結されており、一対の支持部１１，１１及び上下の連結フレームで囲まれた枠体内に背面板１４が嵌め込まれて固定されている。
【００１２】
また、商品陳列棚１０の下端部には、商品を載置可能なベース棚１５が、その後端を支持部１１，１１の前面に嵌められた状態で設けられており、ベース棚１５より上方には、複数段の棚部１２が、一対の支持部１１，１１に支持された状態で設けられている。より詳細には、個々の支持部１１は、断面方形の角筒状の金属製棒状体からなり、前面に、高さ方向に直列した多数の係合孔１６ａからなる２列の係合孔列１６が形成されており、棚部１２は、後端部に上下２段に鉤状の係合突起が設けられている左右一対の側方支持部材１２ａ（片側のみ図示）と、一対の側方支持部材上に支持された棚板部材１２ｂとを備えている。棚部１２は、前述した一対の側方支持部材における鉤状の係合片を、一対の支持部１１に設けられた係合孔列１６の適宜の高さ位置に存する係合孔に係合させることで、支持部１１，１１に取り付けられている。
【００１３】
本明細書において、左右方向Ｘは、商品を出し入れする側から商品陳列棚１０を視たときの商品陳列棚１０の左右方向であり、前後方向Ｙは、商品を出し入れする側から商品陳列棚１０を視たときの商品陳列棚１０の奥行方向であり、高さ方向Ｚは、商品陳列棚１０の高さ方向である。
【００１４】
表示方法追加構造体１は、図１に示すように、商品陳列棚の相異なる高さ位置、すなわち高さ方向における複数の位置に配されるように取り付けられる複数の横フレーム３と、該横フレーム３に取り付けられる商品情報表示パネル４とを有している。より詳細には、商品陳列棚１０の左右方向に離間した状態に取り付けられる複数の支柱２と、隣り合う支柱２，２間に、該支柱２，２どうしを複数の高さ位置において連結するように取り付けられる複数の横フレーム３と、該横フレーム３に取り付けられる商品情報表示パネル４とを有している。
【００１５】
個々の支柱２は、それぞれ、図３に示すように、断面矩形（長方形）の角筒状の金属製棒状体からなり、上端部及び下端部に、前後連結フレーム２２，２３が直角に結合している。支柱２及び上下一対の前後連結フレーム２２，２３は、全体としてコ字状の支柱固定部材２０を形成している。前後連結フレーム２２，２３は、それぞれ、断面矩形（長方形）の角筒状の金属製棒状体からなり、前端部側が支柱２の下端部に連結され、後端部側に、商品陳列棚１０の支持部１１の係合孔１６ａに係合する鉤状の係合突起２４ａを備えた係合片２４が固定されている。
個々の支柱２は、前後連結フレーム２２，２３それぞれの複数の係合突起２４ａを支持部１１の係合孔１６ａにそれぞれ係合させることで、図１に示すように、個々の支柱２を、商品陳列棚１０より前方に配置することができ、また、その支柱２における隣り合う支柱間を横フレーム３で連結し、その横フレーム３に商品情報表示パネル４を取り付けられていることにより、横フレーム３及び商品情報表示パネル４も、商品陳列棚１０より前方に配置される。
【００１６】
本明細書において商品陳列棚１０より前方とは、棚部１２上に載置した商品の商品情報を記載した商品情報表示パネル４及びそれを支持する横フレーム３を、その棚部１２より前方に配置することを意味する。棚部１２の前端と横フレーム３の背面との間の前後方向Ｙに沿う距離及び棚部１２の前端と商品情報表示パネル４との間の前後方向Ｙに沿う距離は、それぞれ、好ましくは１０ｍｍ以上、より好ましくは５０ｍｍ以上であり、また好ましくは１５０ｍｍ以下、より好ましくは８０ｍｍ以下であり、また好ましくは１０ｍｍ以上１５０ｍｍ以下、より好ましくは５０ｍｍ以上８０ｍｍ以下である。
【００１７】
本実施形態の表示方法追加構造体１は、図１及び図３に示すように、下側の前後連結フレーム２３に固定されて用いられる揺れ防止部材５を備えている。揺れ防止部材５は、図５に示すように、短冊状の金属片を折曲してなり、上部に、前後連結フレーム２３の保持部２５ａを有し、下部に、ベース棚１５同士間等、商品陳列棚１０を構成する部材間に挿入される挿入部２５ｂを有している。揺れ防止部材５の天面部２５ｂには、固定用孔２５ｃが形成されており、保持部２５ａに嵌合させた前後連結フレーム２３に、固定用孔２５ｃを介してビス等の棒状固定具２６を捻じ込むことで、前後連結フレーム２３に対する揺れ防止部材５の固定が強固となる。そして、挿入部２５ｂを左右方向に移動しないように商品陳列棚１０を構成する部材間等に挿入することで、商品陳列棚１０の前方に配された支柱２や横フレーム３等が揺れることを効果的に防止することができる。
【００１８】
本実施形態の可動表示パネル付商品陳列棚１００における表示方法追加構造体１は、図１に示すように、横フレーム３として、隣り合う支柱２，２間を、商品陳列棚１０の最上段の棚部１２より上方の位置において連結している第１横フレーム３Ａと、隣り合う支柱２，２間を、商品陳列棚１０の各棚部１２の高さ位置において連結している第２横フレーム３Ｂとを有している。第１及び第２横フレーム３Ａ，３Ｂは、何れも、円筒状で通直な金属製棒状体からなる本体部３１を有し、それぞれの長手方向の両端部が、隣り合う一対の支柱２．２にそれぞれに接続されている。
【００１９】
第１横フレーム３Ａは、図３及び図６（ａ）に示すように、本体部３１の両端に、本体部３１の軸方向に対して直角に結合させた縦長の第１接続片３３ａと第１接続片３３ａの下部に垂直に設けられた第２接続片３３ｂとを備えた接続部３３を有している。第１横フレーム３Ａを、相対向する一対の支柱２，２間を連結するように固定するには、第１横フレーム３Ａの接続部３３における、第１接続片３３ａを支柱２の側面２ｓに当接させるとともに、第２接続片３３ｂを支柱２の背面２ｒに当接させ、その状態で、第２接続片３３ｂに設けた固定用孔３３ｃに、ビス等の棒状固定具３４を挿入し、支柱２の背面２ｒに捻じ込む。これにより、第１横フレーム３Ａを、一対の支柱２，２間に、第１横フレーム３Ａと一対の支柱２，２とが同一平面上に位置するように固定することができる。また固定具３４が、支柱２の前面側に突出しないようにできるため、外観に優れた可動表示パネル付商品陳列棚１００が得られる。
なお、複数の支柱２のうち、前述した中間支持部１１ｂに支持されているものは、図１に示すように、支柱２に、支柱２の左右両側に位置する第１横フレーム３Ａが接続されている。その場合、図７に示すように、支柱２の背面２ｒ側に、左右の第１横フレーム３Ａの第２接続片３３ｂどうし及び固定用孔３３ｃどうしを重ね合わせた状態に配置し、重ね合わせた２つの固定用孔３３ｃに、背面２ｒ側から固定具３４を挿通して固定することが好ましい。この場合も、固定具３４が支柱２の前面側に突出しないようにできるため、外観に優れた可動表示パネル付商品陳列棚１００が得られる。
【００２０】
第２横フレーム３Ｂは、図３及び図８（ａ）に示すように、円筒状で通直な金属製棒状体からなる本体部３１の両端部に、下面ｄにスリット状の開口部３５ａ、上面ｕに小円状の貫通孔３５ｂ、側面ｓに固定具挿入孔３５ｃを有する接続片挿入部３５が形成されている。また、左右方向Ｘに隣り合う一対の支柱２，２の相対向する側面２ｓには、図１０（ａ）に示すように、図８（ｂ）に示す接続片３６の係合突起３６ａが係合可能な係合孔２１が、高さ方向Ｚに直列した状態に多数形成されている。図８（ｂ）に示す接続片３６は、金属製の板状体であり、支柱２の係合孔２１に係合する鉤状の係合突起３６ａ、及び係合突起３６ａが係合する係合孔の１又は２つ下の係合孔２１に挿入されて接続片３６の固定状態を安定化させる補助突起３６ｂを備えており、更に、固定具挿入孔３５ｃから挿入したビス等の棒状固定具３７を挿通させ固定するための雌ねじ加工を施した貫通孔３６ｃを有している。
個々の第２横フレーム３Ｂを、相対向する一対の支柱２，２間を連結するように固定するには、図９（ａ）に示すように、隣り合う支柱２，２の相対向する側面のそれぞれに、前述した構成の接続片３６を、係合突起３６ａ及び補助突起３６ｂを係合孔２１に挿入して仮固定し、次いで、第２横フレーム３Ｂを、両端の接続片挿入部３５に一対の接続片３６がそれぞれ挿入されるように配置する〔図１０（ａ）参照〕。このとき、小円状の貫通孔３５ｂに、接続片３６の上縁部に設けた小突起３６ｄが入るようにすると、固定具挿入孔３５ｃの位置と、接続片３６の貫通孔３６ｃの位置とが一致し、貫通孔３６ｃに対するビス等の棒状固定具３７の挿入及び固定が容易となる。
【００２１】
そして、図１０（ｂ）に示すように、第２横フレーム３Ｂの裏面側から固定具挿入孔３５ｃに、ビス等の棒状固定具３７を挿入し、挿入した棒状固定具３７が、接続片３６の貫通孔３６ｃに螺着するようにする。
第２横フレーム３Ｂは、例えば、このようにして一対の支柱２，２間に、安定した状態に固定することができ、また、第２横フレーム３Ｂと一対の支柱２，２とが同一平面上に位置するように固定することができる。また貫通孔３５ｃに、雌ねじを設け、背面側から棒状固定具３７を貫通孔３５に螺入することによって、第２横フレーム３Ｂを、棒状固定具３７が支柱２の前面側に突出しないように固定することができ、一層、外観に優れた可動表示パネル付商品陳列棚１００が得られる。
【００２２】
本実施形態の表示方法追加構造体１は、図１及び図９（ｂ）に示すように、左右方向に延びる上部表示パネル５１を商品陳列棚１０の上部に取り付け可能な、上部表示パネル５１の取り付け部材５を備えている。取り付け部材５は、横長の上部表示パネル５１の下縁部が挿入される下溝を有する下方フレーム５２と、下方フレーム５２の両端から立ち上がり、上部表示パネル５１の側縁部が挿入される側方溝を有する側方フレーム５３，５３とを有するとともに、下方フレーム５２の下部に、商品陳列棚１０の上部連結フレーム１３に嵌合する嵌合部５４，５４を有しており、嵌合部５４，５４を上部連結フレーム１３に嵌合させることで、該上部連結フレーム１３に対して脱着自在に取り付け可能である。
上部表示パネル５１には、商品に関する文字情報を表示しても良いし、商品陳列棚１０に一層の統一感を付与するために、一部又は全部の上部表示パネル５１に文字情報を表示するとともに又は総ての上部表示パネル５１に文字情報を表示することなく、全ての上部表示パネル５１の色を同一色に統一しても良い。
上部表示パネル５１の取り付け部材５および上部表示パネル５１は、必ずしも設けなくともよいが、これを表示方法追加構造体の一部として設けることで、売り場の一体感をより一層増すことができる。
【００２３】
本実施形態における商品情報表示パネル４は、図１１（ａ）に示すように、裏面側に、高さ方向Ｚに隣り合う２本の横フレーム３，３のうちの上側の横フレーム３に係合する上側係合部４１と、該２本の横フレーム３のうちの下側の横フレーム３に係合する下側係合部４２とを備えるとともに、上側係合部４１と下側係合部４２との間の距離の調整機構を有する。具体的には、商品情報表示パネル４は、上側係合部４１を有する情報表示パネル４３と、下側係合部４２を有する高さ調整パネル４４とを備え、図１１（ｂ）に示すように、情報表示パネル４３及び高さ調整パネル４４には、ボルト４５及びナット４６により互いを結合するためのボルト孔４３ａ，４４ａが形成されている。情報表示パネル４３のボルト孔４３ａは、情報表示パネル４３の高さ方向における一か所に形成されている一方、高さ調整パネル４４のボルト孔４４ａは、高さ調整パネル４４の高さ方向における複数個所に形成されており、情報表示パネル４３と高さ調整パネル４４とを結合する際に、高さ調整パネル４４の複数のボルト孔４４ａのなかからボルト４５を挿通するボルト孔４４ａを適宜に選択することで、上側係合部４１と下側係合部４２との間の距離を多段階に調節可能である。上側係合部４１と下側係合部４２との間の距離の調整機構は、上側係合部４１と下側係合部４２との間の距離を無段階に調整可能なものも好ましい。本実施形態の商品情報表示パネル４においては、上側係合部４１及び下側係合部４２が、本発明における「２本の横フレームに接触する接触部」である。
【００２４】
商品情報表示パネル４は、図１に示すように、商品陳列棚１０の前方に配された横フレーム３のうち、高さ方向に隣り合う２本の横フレームに、左右方向にスライド移動可能に取り付けられるが、上記の調整機構を有することによって、商品情報表示パネル４を取り付ける２本の横フレームどうし間の距離が、場所によって異なる場合においても、取り付ける２つの横フレーム３，３間の距離に応じて、上側係合部４１と下側係合部４２との間の距離を適切な長さに調整することができる。それにより、商品情報表示パネル４は、商品陳列棚１０の前方に配された横フレームのうち、高さ方向に隣り合う任意の２本の横フレーム３，３に取り付けることができる。
【００２５】
本実施形態における商品情報表示パネル４における上側係合部４１及び下側係合部４２は、情報表示パネル４３又は高さ調整パネル４４の背面部４ａと、背面部４ａから突出する水平部４ｂと、水平部４ｂの先端部に連設された垂下部４ｃとを有し、これらに囲まれた空間４ｄ内に横フレーム３が配される。空間４ｄは、商品陳列棚１０の前後方向Ｙに沿う方向の長さが、横フレーム３の同方向の長さより若干長く、商品情報表示パネル４を、上下２本の横フレーム３に沿って左右方向に摺動させることができる。なお、下側係合部４２の垂下部４ｃの下部には、ビス孔４ｅが形成されており、商品情報表示パネル４を高さ方向に隣り合う２本の横フレーム３，３に取り付けた後に、該ビス孔４ｅにビス４ｆを螺入し、その先端を、横フレーム３の下部表面に近接配置することで、効果的に、商品情報表示パネル４の脱落が防止される。
【００２６】
本実施形態における商品情報表示パネル４の情報表示パネル４３は、透明又は半透明の前面パネル４３ｂと透明又は半透明の背面パネル４３ｃとを、それぞれの側縁部及び下縁部に間隔保持材４３ｄを介在させて一体化させて形成されており、前面パネル４３ｂと背面パネル４３ｃとの間に、商品情報を記載したシート（図示せず）を挿入可能な情報シート挿入部４３ｅを有している。商品情報を記載したシートを、情報シート挿入部４３ｅに挿入した状態においては、当該シートの商品情報を、消費者が前面パネル４３ｂ側から視認可能である。
高さ調整パネル４４も、透明又は半透明の前面パネル４４ｂと透明又は半透明の背面パネル４４ｃとを、背面パネル４４ｃの側縁部及び下縁部に間隔保持材４４ｄを介在させて一体化させて形成されており、前面パネル４４ｂと背面パネル４４ｃとの間に、商品情報を記載したシート（図示せず）を挿入可能な情報シート挿入部４４ｅを有している。商品情報を記載したシートを、情報シート挿入部４４ｅに挿入した状態においては、当該シートの商品情報を、消費者が前面パネル４４ｂ側から視認可能である。
情報シート挿入部４３ｅに挿入する商品情報を記載したシートは、紙製でも合成樹脂製でも紙と合成樹脂とのラミネートシートでも良い。またシートはある程度の厚みを有する板状物であっても良い。
【００２７】
本実施形態に係る可動表示パネル付商品陳列棚１００は、既存の商品陳列棚１０における左右方向に隣り合う一対の支持部１１に、前述した支柱固定部材２０を取り付けることによって、各支持部１１の前方の位置における商品陳列棚１０の前方に支柱２を配置し、次いで、左右方向に隣り合う支柱２，２間に、適宜の順序で第１及び第２横フレーム３Ａ，３Ｂを固定した後、商品情報表示パネル４を、高さ方向に隣り合う２つの横フレーム３，３に取り付けることによって構成される。
図１に示す可動表示パネル付商品陳列棚１００のように、一対の支持部１１及び該一対の支持部に左右両端を支持された複数の棚部１２を有する単位陳列棚１０Ａが左右方向に複数連なった構成の可動表示パネル付商品陳列棚を得る場合、全ての単位陳列棚１０Ａについて、上述した工程を同時に行っても良いし、一つの単位陳列棚１０Ａについて上述した工程を行った後、他の単位陳列棚１０Ａについて順次上述した工程を行っても良い。
【００２８】
本実施形態の表示方法追加構造体１は、例えば売り場に既に設置してある商品陳列棚１０に対して取り付けることができ、当該商品陳列棚１０の前方に、商品情報表示パネル４を、左右方向にスライド移動可能に設けることができる。
本実施形態の表示方法追加構造体１及び該構造体１を商品陳列棚１０に取り付けて得られる可動表示パネル付商品陳列棚１００においては、商品情報表示パネル４という商品情報の表示方法が追加されることにより、例えば、商品陳列棚１０の各棚部１２には、その棚部１２に載置して陳列する商品の商品名や価格等を、商品情報を記載した表示物の貼り付けやＰＯＰの取り付け等の従来通りの方法で表示する一方、上下の棚部１２間に位置する商品情報表示パネル４に、上下の棚部のうちの下側の棚部又は該下側の棚部及びそれに連続する一又は二以上の更に下の棚部に陳列される複数の商品に共通する商品情報を、商品情報表示パネル４に表示して商品の購入希望者に提示することができる。また、上下の棚部間の高さ方向全長にわたって商品情報表示パネル４があるので、表示が大きく、見やすくなる。これにより、商品の購入希望者は、自己が購入しようとする商品に容易に到達できるようになる。
【００２９】
複数の商品に共通する商品情報としては、例えば、（１）複数の商品が属する商品のカテゴリー、（２）複数の商品を有するブランドのブランド表示（３）複数の商品にまたがるキャンペーン情報等が挙げられる。
（１）複数の商品が属する商品のカテゴリーとしては、例えば、シャンプーやリンス等についてヘアケア製品、ボディソープ、身体用清拭シート、デオドラント商品等についてボディケア製品、ファンデーション、口紅、マスカラ等についてメーキャップ化粧品、砂糖、塩、酢、味噌等について調味料と表示することが例示できる。
（２）複数の商品を有するブランド表示としては、例えば、ブランド名、ブランドロゴなどが挙げられる。
（３）複数の商品にまたがるキャンペーン情報としては、例えば、特典ポイントキャンペーンに関する情報、季節のキャンペーンに関する情報、お買い得情報などが挙げられる。
【００３０】
複数の商品が属する商品のカテゴリー等の複数の商品に共通する商品情報を、商品陳列棚１０の前方に配したスライド移動可能な商品情報表示パネル４に表示することは、下記のような利点もある。
（１）商品情報表示パネル４を移動させることにより、商品情報表示パネル４の裏側の商品も容易に出し入れすることができる。
なお、商品情報表示パネル４を取り付ける場所に拘わらずに、商品の出し入れを容易とするためには、図１に示すように、支柱２間に高さ位置を異ならせて取り付けられる複数の横フレーム３は、複数段の棚部１２それぞれの高さ位置に取り付けられることが好ましい。
（２）棚部１２に表示物を取り付ける既存の表示方法との併用に支障がない。
（３）例えば、一つの商品情報表示パネル４の可動範囲に、その商品情報表示パネル４に記載した商品情報が適用される商品を陳列することにより、その商品情報が適用される商品の範囲を明確にすることもできる。
【００３１】
また、本実施形態の表示方法追加構造体１及び該構造体１を商品陳列棚１０に取り付けて得られる可動表示パネル付商品陳列棚１００においては、商品情報表示パネル４に加えて横フレーム３も、商品陳列棚１０の前方に位置するため、支柱２及び横フレーム３の色彩や外観が、正面から視た見た目に大きく影響を与える。
従って、図１に示す可動表示パネル付商品陳列棚１００における個々の単位陳列棚１０Ａに対応する支柱２の色と横フレーム３の色とを同一又は類似色に統一することで、個々の単位陳列棚１０Ａに陳列された総ての商品が、共通する属性を有することを示すことができ、また、図１に示す可動表示パネル付商品陳列棚１００に含まれる総ての支柱２の色と横フレーム３の色とを同一又は類似色に統一することで、可動表示パネル付商品陳列棚１００に陳列された総ての商品が、共通する属性を有することを示すことができる。
【００３２】
共通する属性としては、例えば、男性用の商品であること、女性用の商品であること、特定の年齢層向けの商品であること、特定の会社から提供される商品であること等が挙げられる。この場合、前述した上部表示パネル５１に「男性用」、「女性用」等の、共通する属性に関する表示を行うことも好ましい。
例えば、図１に示す可動表示パネル付商品陳列棚１００における総ての支柱２及び横フレーム３の色を、青色、紺色、水色等の同一色に着色するとともに、上部表示パネル５１に「男性用」又は「Ｍｅｎ’ｓ」等と表示し、その可動表示パネル付商品陳列棚１００に男性用の商品のみを陳列することにより、商品の購入希望者に、可動表示パネル付商品陳列棚１００に陳列されている商品が、全て男性用の商品であることを示すことができる。横フレーム３を青色又は紺色とする一方、支柱２を黒色等の類似色とすることもできる。
【００３３】
このように、本実施形態の表示方法追加構造体１及び可動表示パネル付商品陳列棚１００によれば、支柱２及び横フレーム３が、商品陳列棚１０の前方に位置するため、支柱２及び横フレーム３の色を同一色又は類似色に統一する等により、商品情報表示パネル４に表示する商品情報とは別の、複数の商品に共通する情報を提供することができる。
これにより、例えば、棚部１２に商品名及び価格を表示し、商品情報表示パネル４に複数の商品が属する商品のカテゴリーを表示し、更に、複数の商品情報表示パネル４を取り付けた可動表示パネル付商品陳列棚１００の全体が、男性用商品を集めた棚であることを示すことも可能となる。
【００３４】
単位陳列棚１０Ａ又は単位陳列棚１０Ａが複数連なった構成の商品陳列棚１０に、統一された印象の外観を与えるためには、横フレーム３に加えて支柱２も、商品陳列棚より前方に位置するように取り付けられ、複数の支柱２と複数の横フレーム３とが、同一平面上に位置するように取り付けられることが好ましい。
【００３５】
また、本実施形態においては、支柱２を、上下の前後連結フレーム２２，２３に設けた係合突起２４ａを、商品陳列棚１０の支持部１１に設けられた係合孔１６ａに係合させて商品陳列棚１０に取り付けている。この係合孔１６ａは、商品陳列棚１０の支持部１１に棚部１２を固定するために設けられているものであるため、その係合孔１６ａを用いることにより、商品陳列棚１０の構成を変えることなく、支柱２、横フレーム３及び商品情報表示パネル４の取り付けが可能である。
【００３６】
また、商品情報表示パネル４は、上側係合部４１と下側係合部４２との間の距離、即ち２本の横フレームに接触する接触部間の距離を調節可能であるため、棚部１２間の距離が一定ではない商品陳列棚１０の各棚部１２の高さ位置に横フレーム３を固定し、高さ方向に隣り合う横フレーム間の距離が一定でない場合であっても、上側係合部４１と下側係合部４２との間の距離を調整することにより、何れの高さ位置にも取り付け可能である。
なお、本実施形態における商品情報表示パネル４は、ビス４ｆを弛めることにより、商品情報表示パネル４を取り付けた上下２本の横フレーム３，３から取り外し可能であり、別の場所に繰り返し取り付けることが可能である。
【００３７】
以上、本発明をその好ましい実施形態について説明したが、本発明は、上記の実施形態に制限されず、適宜変更可能である。
例えば、支柱２の断面形状は長方形や正方形に代えて円形や他の形状であっても良く、横フレーム３の断面形状も円形に代えて長方形や正方形、他の形状であっても良い。また、前後連結フレーム２２，２３は、一方又は双方が、支柱２の上下端部以外の部位に結合していても良く、また、一方又は双方の前後連結フレーム２２，２３は、支柱２に対して脱着自在に結合して使用するものであっても良い。また、前後連結フレームは、通直な棒状体に代えて円弧状、サインカーブ状、連続波形形状等の任意の曲線状に曲がった棒状体であっても良い。また１本の支柱２に、１本又は３本以上の前後連結フレームが結合していても良い。また前後連結フレームは、支柱２側とは反対側が、商品陳列棚１０の支持部１１に代えて、商品陳列棚１０の他の部分や、商品陳列棚１０以外に固定されても良い。商品陳列棚１０以外に固定される例としては、商品陳列棚１０の後方や商品陳列棚１０の左右両側に壁面が存在する場合の該壁面や、背中合わせに他の商品陳列棚を設置する場合の当該他の商品陳列棚の一部等が挙げられる。また、支柱２と前後連結フレームとが形成する支柱固定部材は、図３に示すコ字状のものに代えて、Ｅ字状やＵ字状のもの、全体として円弧状のもの等であっても良い。また横フレーム部分が、棚部１２より前方に位置する一方、支柱部分は、棚部１２の前端より後方に存在しても良い。またバネ等の弾性材を内蔵した伸縮棒状体を、圧縮状態で天井と床面との間や天井とベース棚１５との間に配置し、これを支柱として用いても良い。
また複数の横フレームが取り付けられる一対の支柱は必須ではなく、例えば、商品陳列棚１０から棚部１２の前方に腕を複数突出させて、その腕で横フレーム３を支えてもよい。
【００３８】
また、図１に示す可動表示パネル付商品陳列棚１００における商品陳列棚１０は、一対の支持部１１及び該一対の支持部に左右両端を支持された複数の棚部１２を有する単位陳列棚１０Ａが左右方向に５個連なったものであったが、本発明における商品陳列棚１０は、単一の単位陳列棚１０Ａからなるものや、単位陳列棚１０Ａが任意の数、例えば２以上２０以下の任意の数、連なったものであっても良い。なお、単位陳列棚１０Ａは、隣り合う単位陳列棚１０Ａが両者の境目にある支持部１１を共有するものであっても良い。
【００３９】
なお、単位陳列棚１０Ａの異なる高さ位置に配する横フレーム３の本数は、少なくとも２本であり、３本以上が好ましく、４本以上がより好ましく、また好ましくは２０本以下であり、より好ましくは１０本以下である。より具体的には、好ましくは３本以上２０本以下であり、より好ましくは４本以上１０本以下である。
また、第１横フレーム３Ａは省略しても良い。また、可動表示パネル付商品陳列棚は、複数の商品情報表示パネル４を備えることが好ましく、３以上３０以下の商品情報表示パネル４を備えることが更に好ましい。
【００４０】
また、商品情報表示パネル４は、高さ調整パネル４４が下側係合部４２を有さず、高さ調整パネル４４の背面部４ａにおける横フレーム３に接触する部分が、本発明における「接触部」となっていても良い。情報表示パネル４３は、背面パネル４３ｃが不透明であっても良く、また情報シート挿入部４３ｅを有しないものであっても良い。高さ調整パネル４４も、背面パネル４４ｃが不透明であっても良く、また情報シート挿入部４４ｅを有しないものであっても良い。また商品情報表示パネル４は、その高さを調整不可能なものであっても良い。また商品情報表示パネル４の高さを調整可能とする方法は、上述した実施形態の方法に限られず、高さ調整可能な任意の機構を採用することができる。また、商品情報表示パネル４は、透明、半透明又は不透明の一枚の板状体からなり、該板状体の表面に、商品情報が直接記載されていても良い。
【符号の説明】
【００４１】
１  表示方法追加構造体
２  支柱
２０  支柱固定部材
２２，２３  前後連結フレーム
３Ａ  第１横フレーム（横フレーム）
３Ｂ  第２横フレーム（横フレーム）
４  商品情報表示パネル
４１  上側係合部（接触部）
４２  下側係合部（接触部）
４３  情報表示パネル
４４  高さ調整パネル
５  揺れ防止部材
１０  商品陳列棚
１０Ａ  単位陳列棚
１１  支持部
１２  棚部
１６  係合孔列
１００  可動表示パネル付商品陳列棚
【図１】
0006386988.tif 000002
【図２】
0006386988.tif 000003
【図３】
0006386988.tif 000004
【図４】
0006386988.tif 000005
【図５】
0006386988.tif 000006
【図６】
0006386988.tif 000007
【図７】
0006386988.tif 000008
【図８】
0006386988.tif 000009
【図９】
0006386988.tif 000010
【図１０】
0006386988.tif 000011
【図１１】
0006386988.tif 000012